(57)【要約】【課題】外光と外気を利用してエネルギー消費を減らしつつ快適な環境を維持する。【解決手段】本実施形態の環境制御システムでは、センサ情報取得部１０で取得した２種類の温度（外気温と屋内温度）の検出結果に基づいて、制御パターン決定部１３が記憶部１２に記憶されている複数種類の制御パターンの中から何れかの制御パターンを決定するとともに決定した制御パターンに対応した制御信号を生成して入射量調節装置（屋外遮光装置２と屋内遮光装置３）並びに換気装置４へ送信させる。故に、外光と外気を利用してエネルギー消費を減らしつつ快適な環境を維持することができる。【選択図】        図１
2011202892.tif 000002
【特許請求の範囲】
【請求項１】
建物に設けられている採光部を通して当該建物内の空間に入射する外光の入射量を調節する入射量調節装置と、前記空間の空気を換気する換気装置と、前記建物の外の温度と前記空間の温度をそれぞれ検出する温度検出装置と、前記空間の明るさや温度を所望の範囲内に収めつつ前記空間を照明する照明装置並びに前記空間の空気を調和する空気調和機で消費されるエネルギーを減らすように前記入射量調節装置並びに前記換気装置を制御する制御装置とを備え、
当該制御装置は、前記温度検出装置から前記２種類の温度の検出結果を取得する温度情報取得部と、前記入射量調節装置に外光の入射量を調節させるための制御信号および前記換気装置に換気の有無や風量を調節させるための制御信号を送信する制御信号送信部と、複数種類の入射量調節および換気調節の制御パターンを記憶した記憶部と、前記温度情報取得部で取得した前記２種類の温度の検出結果に基づいて、前記記憶部に記憶されている複数種類の前記制御パターンの中から何れかの制御パターンを決定するとともに決定した制御パターンに対応した制御信号を生成して前記入射量調節装置並びに前記換気装置へ送信させる制御パターン決定部とを具備することを特徴とする環境制御システム。
【請求項２】
前記制御装置は、前記建物の外の明るさを検出する明るさ検出部を具備し、
前記記憶部が記憶する複数種類の制御パターンには、前記建物の外の明るさに対応した制御パターンが含まれ、
前記制御パターン決定部は、前記温度情報取得部で取得した前記２種類の温度の検出結果と前記明るさ検出部の検出結果とに基づいて前記制御パターンを決定することを特徴とする請求項１記載の環境制御システム。
【請求項３】
前記記憶部が記憶する複数種類の制御パターンには、前記照明装置または前記空気調和機を制御する制御パターンが含まれ、
前記制御信号送信部は、前記制御パターン決定部で決定された前記制御パターンに応じて、前記照明装置に光出力を調整させるための制御信号または前記空気調和機に温度を調節させるための制御信号の少なくとも何れか一方を送信することを特徴とする請求項１または２記載の環境制御システム。
【請求項４】
前記制御装置は、所定の条件に応じて前記制御パターンの一部または全部を変更する制御パターン変更部を具備することを特徴とする請求項１〜３の何れか１項に記載の環境制御システム。
【請求項５】
前記制御パターン変更部は、任意の制御パターンが実行された後に前記温度情報取得部で取得される前記空間内の温度の検出結果に応じて前記制御パターンの一部または全部を変更することを特徴とする請求項４記載の環境制御システム。
【請求項６】
前記入射量調節装置または前記換気装置の少なくとも何れか一方は手動操作により入射量調節または換気調節が可能であって、
前記制御パターン変更部は、前記入射量調節装置または前記換気装置の手動操作の履歴に応じて前記制御パターンの一部または全部を変更することを特徴とする請求項４記載の環境制御システム。
【請求項７】
前記制御パターン変更部は、日付に応じて前記制御パターンの一部または全部を変更することを特徴とする請求項４記載の環境制御システム。
【請求項８】
それぞれに異なる建物に設置されている複数の前記制御装置との間でデータ通信を行うセンタ装置を備え、
前記制御装置は、前記センタ装置との間でデータ通信を行うデータ通信部と、建物の所在地が属する地域の情報を前記データ通信部から前記センタ装置へ送信するとともに前記センタ装置から返信される制御パターンを前記データ通信部で受信し、当該受信した制御パターンを前記記憶部に記憶させる制御パターン取得部とを具備し、
前記センタ装置は、前記制御装置から前記地域情報を受け取ると、当該地域に適した１乃至複数種類の制御パターンを選択して当該制御装置へ返信することを特徴とする請求項１〜７の何れか１項に記載の環境制御システム。
【発明の詳細な説明】
【技術分野】
【０００１】
本発明は、建物内の空間の環境を整える環境制御システムに関する。
【背景技術】
【０００２】
従来、建物内の空間の環境を整える環境制御システムが種々提案されている。例えば、特許文献１には、住宅の室内温度を検出する室内温度センサと、住宅の外気温度を検出する外気温度センサと、降雨センサと、各センサの検出結果に基づいて、住宅の外壁に設けられた地窓を開閉するコントローラとを備えた環境制御システムが記載されている。特許文献１記載の従来システムでは、室内温度が２９℃以上、外気温度が２７℃以下、且つ降雨センサが降雨を検知しておらず、空気調和機（エアコン）が停止している状況下において、コントローラが地窓を開けて外気を室内に取り込むことで室内温度を低下させている。また、このコントローラでは、室内温度が２５℃以下になったときは地窓を閉じて室内温度の下がり過ぎを防止している。
【０００３】
上記特許文献１記載の従来例は、建物の地窓を開閉することで換気を行い、エアコンを使わずに室内温度を快適な範囲に調整することで省エネを実現している。
【先行技術文献】
【特許文献】
【０００４】
【特許文献１】特開２００６−１８３９３６号公報
【発明の概要】
【発明が解決しようとする課題】
【０００５】
ところで、建物内の空間の環境は温度だけでなく明るさ（照度）によっても大きく変化する。これに対して上記従来例では、窓から入射する外光（主に日光）を利用することで照明に要するエネルギーを減らす点については考慮されていない。また、窓から入射する外光は、明るさだけでなく温度にも影響を及ぼす。
【０００６】
本発明は、上記課題に鑑みて為されたものであり、外光と外気を利用してエネルギー消費を減らしつつ快適な環境を維持することができる環境制御システムの提供を目的とする。
【課題を解決するための手段】
【０００７】
本発明の環境制御システムは、建物に設けられている採光部を通して当該建物内の空間に入射する外光の入射量を調節する入射量調節装置と、前記空間の空気を換気する換気装置と、前記建物の外の温度と前記空間の温度をそれぞれ検出する温度検出装置と、前記空間の明るさや温度を所望の範囲内に収めつつ前記空間を照明する照明装置並びに前記空間の空気を調和する空気調和機で消費されるエネルギーを減らすように前記入射量調節装置並びに前記換気装置を制御する制御装置とを備え、当該制御装置は、前記温度検出装置から前記２種類の温度の検出結果を取得する温度情報取得部と、前記入射量調節装置に外光の入射量を調節させるための制御信号および前記換気装置に換気の有無や風量を調節させるための制御信号を送信する制御信号送信部と、複数種類の入射量調節および換気調節の制御パターンを記憶した記憶部と、前記温度情報取得部で取得した前記２種類の温度の検出結果に基づいて、前記記憶部に記憶されている複数種類の前記制御パターンの中から何れかの制御パターンを決定するとともに決定した制御パターンに対応した制御信号を生成して前記入射量調節装置並びに前記換気装置へ送信させる制御パターン決定部とを具備することを特徴とする。
【０００８】
この環境制御システムにおいて、前記制御装置は、前記建物の外の明るさを検出する明るさ検出部を具備し、前記記憶部が記憶する複数種類の制御パターンには、前記建物の外の明るさに対応した制御パターンが含まれ、前記制御パターン決定部は、前記温度情報取得部で取得した前記２種類の温度の検出結果と前記明るさ検出部の検出結果とに基づいて前記制御パターンを決定することが好ましい。
【０００９】
この環境制御システムにおいて、前記記憶部が記憶する複数種類の制御パターンには、前記照明装置または前記空気調和機を制御する制御パターンが含まれ、前記制御信号送信部は、前記制御パターン決定部で決定された前記制御パターンに応じて、前記照明装置に光出力を調整させるための制御信号または前記空気調和機に温度を調節させるための制御信号の少なくとも何れか一方を送信することが好ましい。
【００１０】
この環境制御システムにおいて、前記制御装置は、所定の条件に応じて前記制御パターンの一部または全部を変更する制御パターン変更部を具備することが好ましい。
【００１１】
この環境制御システムにおいて、前記制御パターン変更部は、任意の制御パターンが実行された後に前記温度情報取得部で取得される前記空間内の温度の検出結果に応じて前記制御パターンの一部または全部を変更することが好ましい。
【００１２】
この環境制御システムにおいて、前記入射量調節装置または前記換気装置の少なくとも何れか一方は手動操作により入射量調節または換気調節が可能であって、前記制御パターン変更部は、前記入射量調節装置または前記換気装置の手動操作の履歴に応じて前記制御パターンの一部または全部を変更することが好ましい。
【００１３】
この環境制御システムにおいて、前記制御パターン変更部は、日付に応じて前記制御パターンの一部または全部を変更することが好ましい。
【００１４】
この環境制御システムにおいて、それぞれに異なる建物に設置されている複数の前記制御装置との間でデータ通信を行うセンタ装置を備え、前記制御装置は、前記センタ装置との間でデータ通信を行うデータ通信部と、建物の所在地が属する地域の情報を前記データ通信部から前記センタ装置へ送信するとともに前記センタ装置から返信される制御パターンを前記データ通信部で受信し、当該受信した制御パターンを前記記憶部に記憶させる制御パターン取得部とを具備し、前記センタ装置は、前記制御装置から前記地域情報を受け取ると、当該地域に適した１乃至複数種類の制御パターンを選択して当該制御装置へ返信することが好ましい。
【発明の効果】
【００１５】
本発明の環境制御システムは、外光と外気を利用してエネルギー消費を減らしつつ快適な環境を維持することができるという効果がある。
【図面の簡単な説明】
【００１６】
【図１】本発明の実施形態１を示すシステム構成図である。
【図２】同上における制御パターンの説明図である。
【図３】同上における制御パターンの説明図である。
【図４】同上における制御パターンの説明図である。
【図５】同上における制御パターン変更の動作を説明するためのフローチャートである。
【図６】本発明の実施形態２を示すシステム構成図である。
【発明を実施するための形態】
【００１７】
以下、戸建住宅内の空間（居住空間）の環境を整えることを目的とする環境制御システムに本発明の技術思想を適用した実施形態について説明する。ただし、建物は戸建住宅に限定されず、例えば、集合住宅の住戸やオフィスビルの居室などに本実施形態の環境制御システムを設置することが可能である。
【００１８】
（実施形態１）
本実施形態のシステム構成図を図１に示す。住宅Ｈの窓（採光部Ｗ１）の外側に屋外遮光装置２が設置され、この採光部Ｗ１の内側（室内側）に屋内遮光装置３が設置されている。この屋外遮光装置２と屋内遮光装置３は、いわゆる電動ブラインドシャッターからなり、建物（住宅Ｈ）に設けられている採光部Ｗ１を通して建物内の空間（居住空間）に入射する外光（主に日光）の入射量を調節する。すなわち、本実施形態では屋外遮光装置２と屋内遮光装置３とで入射量調節装置が構成されている。
【００１９】
住宅Ｈの換気窓Ｗ２の内側には換気装置４が設置されている。また、住宅Ｈの天井には、換気装置４と連動して開閉される換気窓Ｗ３が設けられている。すなわち、換気装置４が動作しているときに換気窓Ｗ３が開き、住宅Ｈの外の空気（外気）が居住空間に導入されるとともに居住空間の空気が換気窓Ｗ３を通して屋外に排出（排気）される（図１における実線の矢印を参照）。そして、換気装置４が動作していないときは換気窓Ｗ３も閉じられる。
【００２０】
また、居住空間には照明器具（照明装置）５と空気調和機（空調機）６が設置されている。照明装置５は、蛍光ランプや白熱ランプや発光ダイオードなどの電気的な光源、光源を点灯する点灯回路、周囲照度を検出する照度センサなどを備えている。点灯回路は、照度センサで検出される周囲照度が目標値と一致するように光源の光量を自動的に調節するとともに、後述するように利用者の操作に応じて光源を点灯・消灯する。ただし、この種の照明装置５は従来周知であるから詳細な構成の図示並びに説明は省略する。また、空調機６は従来周知のエアコンディショナーからなり、温度センサで検出する居住空間の温度（屋内温度）が設定温度と一致するように温度調節する機能を有している。
【００２１】
住宅Ｈの外と内にそれぞれ温度センサ（温度検出装置）７，８が設置されている。温度センサ７は、住宅Ｈの外の温度（外気温）を定期的（例えば、１分間隔）に検出して検出結果（外気温の温度データ）を制御装置１に出力する。一方、温度センサ８は、住宅Ｈの内（居住空間）の温度（屋内温度）を定期的（例えば、１分間隔）に検出して検出結果（屋内温度の温度データ）を制御装置１に出力する。すなわち、本実施形態では２つの温度センサ７，８で温度検出装置が構成されている。ただし、このような温度センサ７，８は従来周知であるから、詳細な構成についての図示並びに説明は省略する。
【００２２】
制御装置１は、センサ情報取得部１０、制御信号送信部１１、記憶部１２、制御パターン決定部１３、明るさ検出部１４を具備し、例えば、住宅Ｈ内に設置されている住宅用分電盤（図示せず）のボックスに収納されている。ただし、住宅Ｈの外の明るさ（照度）を検出するための明るさ検出部１４だけは住宅Ｈの外に設置されている。この明るさ検出部１４は住宅Ｈの外の明るさを定期的に検出している。
【００２３】
センサ情報取得部１０は、２つの温度センサ７，８から出力される２種類の温度データ（外気温および屋内温度の温度データ）と、明るさ検出部１４で検出される明るさデータ（照度データ）とを取得し、取得した各データを制御パターン決定部１３に渡している。つまり、本実施形態ではセンサ情報取得部１０が温度情報取得部に相当する。制御信号送信部１１は、信号線Ｌｓを介して屋外遮光装置２、屋内遮光装置３、換気装置４に制御信号を送信する。ただし、制御信号の伝送媒体は信号線Ｌｓに限定されるものではなく、電波や赤外線などの無線媒体であっても構わない。
【００２４】
記憶部１２はフラッシュメモリのように書換可能な不揮発性の半導体メモリからなり、複数種類の入射量調節および換気調節の制御パターンを記憶している。制御パターン決定部１３は、センサ情報取得部１０で取得する外気温および屋内温度の温度データに基づいて、記憶部１２に記憶されている複数種類の制御パターンの中から何れかの制御パターンを決定するとともに決定した制御パターンに対応した制御信号を生成して制御信号送信部１１から送信させる。なお、このような制御パターン決定部１３は、例えば、マイクロコンピュータに専用のプログラムを実行させることで実現される。
【００２５】
ここで、記憶部１２に記憶されている複数種類の制御パターンについて説明する。図２に示すように、温度センサ７が検出する外気温を横軸（ｘ軸）とし、温度センサ８が検出する屋内温度を縦軸（ｙ軸）とする２次元直交座標系の第１象限が、４本の直線（境界線）Ｌ１〜Ｌ４によって４つのエリアＲ１〜Ｒ４に区分けされている。なお、図２に示す２次元直交座標系の原点Ｏは、必ずしも０℃である必要は無い。図示例では、４本の境界線Ｌ１〜Ｌ４は、それぞれｙ＝ｘ＋Ａ、ｘ＝Ｂ、ｘ＝Ｃ、ｘ＝Ｄの１次関数で表されている。そして、第３の境界線Ｌ３より左側の領域のうち、第１の境界線Ｌ１よりも上で且つ第２の境界線Ｌ２よりも右側の領域を第２エリアＲ２とし、残りの領域を第１エリアＲ１としている。また、第３の境界線Ｌ３より右側の領域のうち、第１の境界線Ｌ１よりも上で且つ第４の境界線Ｌ４よりも左側の領域を第３のエリアＲ３とし、残りの領域を第４のエリアＲ４としている。そして、これら４つのエリアＲ１〜Ｒ４に対して、それぞれ制御パターンが割り当てられている（図３参照）。
【００２６】
図３は４つのエリアＲ１〜Ｒ４と制御パターン、ならびに個々の制御パターンの制御内容を示すテーブルであって、かかるテーブルが記憶部１２に記憶されている。制御パターンは、基本的に「外光利用」と「外気利用」の有無に応じた４種類がある。例えば、外気温が相対的に低い第１及び第２のエリアＲ１，Ｒ２では外光を利用することで居住空間の気温を上げる方向へ制御し、反対に外気温が相対的に高い第３及び第４のエリアＲ３，Ｒ４では外光を利用しない（遮光する）ことで居住空間の屋内温度を下げる方向へ制御することが望ましい。また、居住空間の温度（屋内温度）が相対的に高い第２及び第３のエリアＲ２，Ｒ３では外気を利用して居住空間の屋内温度を下げる方向へ制御することが望ましい。ただし、外光の利用は日の出から日の入りまでの時間帯に限られ、特に窓ガラスの保護機能を有する屋外遮光装置２を開くことは防犯の観点から好ましくないので、日の出から日の入りまでの時間帯以外の時間帯では外光を利用しない制御パターンとする。なお、図３（ａ）は日の出から日の入りまでの時間帯（以下、「昼間の時間帯」と呼ぶ。）における制御パターンのテーブルを示し、図３（ｂ）は昼間の時間帯以外の時間帯における制御パターンのテーブルを示している。
【００２７】
図３に示すように、外光利用ありの制御パターンでは、屋外遮光装置２ならびに屋内遮光装置３を双方とも「開」の状態とし、外光利用なしの制御パターンでは、屋外遮光装置２ならびに屋内遮光装置３を双方とも「閉」の状態とする。ただし、屋外遮光装置２および屋内遮光装置３による外光の入射量の調節は開（１００％）と閉（０％）の２通りに限定されるものではなく、例えば、ブラインドのスラット角に応じて７５％、５０％、２５％というように細かく入射量を調整することも可能である。
【００２８】
また、外気利用ありの制御パターンでは、換気装置４をオン（運転）するとともに換気窓Ｗ３を「開」の状態とし、外気利用なしの制御パターンでは、換気装置４をオフ（停止）するとともに換気窓Ｗ３を「閉」の状態とする。ただし、換気装置４の制御はオン／オフだけに限らず、風量や風向を細かく調整することも可能である。
【００２９】
次に、制御装置１の動作について説明する。制御パターン決定部１３は、一定の周期（例えば、数分〜数十分）でセンサ情報取得部１０から外気温、屋内温度、屋外照度の各データを受け取るとともに、記憶部１２に記憶されているテーブルを参照し、受け取った各データに応じた最適な制御パターンを決定する。ここで、「最適な制御パターン」とは、居住空間の明るさや屋内温度を所望の範囲（例えば、居住空間に居る利用者が不快感を感じることがない範囲）内に収めつつ照明装置５並びに空調機６で消費されるエネルギーを減らすことができるものであって、上述したように図３に示すテーブルとして記憶部１２に記憶されている。
【００３０】
まず制御パターン決定部１３は、屋外照度データに基づいて昼間の時間帯か否かを判定し、昼間の時間帯であれば、図３（ａ）に示すテーブルを参照し、昼間の時間帯でなければ、図３（ｂ）に示すテーブルを参照する。例えば、昼間の時間帯において、外気温および屋内温度の温度データの組が第２のエリアＲ２にあった場合、制御パターン決定部１３は、図３（ａ）に示した昼間の時間帯用のテーブルを参照し、第２のエリアＲ２に対応した制御パターン（外利用あり／外気利用ありの制御パターン）を選択（決定）する。さらに制御パターン決定部１３は、決定した制御パターンに応じて、屋外遮光装置２と屋内遮光装置３を「開」とする制御信号を生成するとともに、換気装置４をオン（運転）させる制御信号を生成し、生成した制御信号を制御信号送信部１１から各遮光装置２，３ならびに換気装置４に対して送信させる。
【００３１】
このように本実施形態の環境制御システムでは、センサ情報取得部１０で取得した２種類の温度（外気温と屋内温度）の検出結果に基づいて、制御パターン決定部１３が記憶部１２に記憶されている複数種類の制御パターンの中から何れかの制御パターンを決定するとともに決定した制御パターンに対応した制御信号を生成して入射量調節装置（屋外遮光装置２と屋内遮光装置３）並びに換気装置４へ送信させるので、外光と外気を利用してエネルギー消費を減らしつつ快適な環境を維持することができる。
【００３２】
ところで、図４（ａ）に示すように遮光装置２，３による入射量の増減や換気装置４による換気の増減に応じて住戸Ｈ内の屋内温度が短時間に上下し、外気温および屋内温度の温度データの組が２つのエリア（図示例では第１のエリアＲ１と第２のエリアＲ２）を頻繁に移動する場合がある（図４（ａ）の実線イ参照）。このような場合、制御パターン決定部１３が２つのエリアに対応した制御パターンを短期間に変更していると、遮光装置２，３や換気装置４の寿命を縮めてしまったり、各装置の作動音が不快感を与えてしまう虞がある。
【００３３】
そこで、このような現象（いわゆるハンチング現象）を避けるため、制御パターン決定部１３は、以下のように処理することが望ましい。例えば、外気温および屋内温度の温度データの組が第２のエリアＲ２にあり、換気装置４がオン（運転）しているときに屋内温度が低下して第１の境界線Ｌ１を超えた場合を想定する（図４（ｂ）参照）。このとき、第１のエリアＲ１を超える直前の外気温と超えた直後の外気温との差が±２℃以上であれば、制御パターン決定部１３は第２のエリアＲ２に対応する制御パターンから第１のエリアＲ１に対応する制御パターンに変更して換気装置４をオフ（停止）させる。一方、上記差が±２℃未満であった場合、第１の境界線Ｌ１を超えた直後の屋内温度が、第１の境界線Ｌ１をｙ軸方向に−１℃だけ平行移動した境界線Ｌ１’よりも下にあれば、制御パターン決定部１３は第２のエリアＲ２に対応する制御パターンから第１のエリアＲ１に対応する制御パターンに変更して換気装置４をオフ（停止）させる。しかしながら、第１のエリアＲ１を超えた直後の屋内温度が境界線Ｌ１’よりも上にあれば、制御パターン決定部１３は制御パターンを変更せずに換気装置４のオン（運転）を継続させる（図４（ｂ）の実線ロ参照）。
【００３４】
あるいは、制御パターン決定部１３は、以下のように処理しても構わない。換気装置４がオン（運転）してから所定時間（例えば、３０分）が経過するまでの間に、外気温および屋内温度の温度データの組が第１のエリアＲ１から第２のエリアＲ２にが変わったときは換気装置４をオフ（停止）しない。そして、所定時間が経過した後に屋内温度が境界線Ｌ１’よりも下にあれば、制御パターン決定部１３は第２のエリアＲ２に対応する制御パターンから第１のエリアＲ１に対応する制御パターンに変更して換気装置４をオフ（停止）させる。しかしながら、所定時間が経過した後に屋内温度が境界線Ｌ１’よりも上にあれば、制御パターン決定部１３は制御パターンを変更せずに換気装置４のオン（運転）を継続させる。なお、上記ハンチング現象に対する対策は換気装置４だけでなく入射量調節装置（屋外遮光装置２と屋内遮光装置３）についても実施することが望ましい。
【００３５】
ところで、照明装置５と空調機６は自己のセンサで検出する照度や温度に応じて出力を自動制御しているが、制御装置１が照明装置５や空調機６を制御しても構わない。例えば、外光利用ありの制御を行って屋外遮光装置２と屋内遮光装置３を閉から開に切り換えた場合、照明装置５の照度センサで検出される周囲照度が上昇したら、制御装置１から制御信号（調光信号）を送信して照明装置５の光出力を低下させ、周囲照度が上昇しなければ、制御信号を送信せずに照明装置５の光出力を変更しないようにすればよい。この場合、照明装置５から制御装置１に対して照度センサの検出結果（周囲照度）が信号線Ｌｓを介して伝送される。あるいは、外気利用の制御を行って換気装置４をオフ（停止）からオン（運転）に切り換えた場合、空調機６の温度センサで検出される温度が低下したら、制御装置１から制御信号を送信して空調機６の設定温度を上昇させ、温度が低下しなければ、制御信号を送信せずに空調機６の設定温度を変更しないようにすればよい。この場合、空調機６から制御装置１に対して温度センサの検出結果（屋内温度）が信号線Ｌｓを介して伝送される。なお、照明装置５や空調機６の制御内容は制御パターンに含まれる。
【００３６】
ところで、外気利用による居住空間の温度変化は建物によって異なる。例えば、断熱効果の高い住宅Ｈと、断熱効果の低い住宅Ｈとを比較すれば、断熱効果の高い住宅Ｈの方が外気利用による居住空間の温度変化が大きくなると考えられる。そこで、所定の条件に応じて制御パターンの一部または全部を変更する制御パターン変更部（図示せず）を制御装置１に具備してもよい。この制御パターン変更部は、例えば、外気利用のみの制御を実行する前の屋内温度に対して、制御実行後の屋内温度が変化しないか、あるいは、その変化の向きが想定される向きと逆（例えば、上昇）であったとき、第１の境界線Ｌ１を屋内温度が高い方に平行移動することで制御パターンを変更する。このように建物の条件に応じて制御パターンを変更すれば、それぞれの建物における実際の温度条件に合わせた無理のない省エネ制御が可能になる。
【００３７】
また、入射量調節装置や換気装置４が手動操作された操作履歴に応じて、制御パターン変更部が制御パターンを変更しても構わない。本実施形態においては、図１に示すように屋外遮光装置２と屋内遮光装置３の開閉（運転／停止）を手動操作で切り換える操作装置９が設けられている。この操作装置９は、利用者による操作入力を受け付けるとともに、受け付けた操作入力に応じた制御信号を送信して屋外遮光装置２と屋内遮光装置３の開閉（運転／停止）を手動操作で切り換えている。そして、操作装置９から屋外遮光装置２と屋内遮光装置３に送信される制御信号を制御装置１のセンサ情報取得部１０で取得し、制御パターン変更部が、センサ情報取得部１０で取得した制御信号の内容、すなわち、操作装置９による手動操作の履歴に基づいて制御パターンを変更している。
【００３８】
図５に示すフローチャートを参照して制御パターン変更部の処理を具体的に説明する。まず、制御パターン変更部は変数ｎをゼロに初期化する。そして、制御パターン決定部１３が決定した制御パターンに応じて屋外遮光装置２と屋内遮光装置３が開状態に制御された後、センサ情報取得部１０が操作装置９から制御信号（操作履歴）を取得する。制御パターン変更部は、センサ情報取得部１０で操作履歴を取得してからＮ分が経過するまで待機し、Ｎ分経過後に屋外遮光装置２と屋内遮光装置３の動作状態をセンサ情報取得部１０で取得する。このとき取得した動作状態が、Ｎ分経過前の動作状態と一致していれば、制御パターン変更部は制御パターンを変更しない。一方、動作状態が一致しなければ、変数ｎが１よりも大きいか否かを判定し、変数ｎが１より大きくなければ変数ｎに１を足して制御パターンによる制御の処理に戻る。ここで、変数ｎが１よりも大きければ、制御パターンによる屋外遮光装置２と屋内遮光装置３の開動作が利用者に拒否されたとみなし、制御パターン変更部が制御パターンを変更する。
【００３９】
上述のように利用者の操作履歴に応じて制御パターンを変更すれば、利用者にとってより快適な環境に調整することができる。ただし、操作履歴に基づく制御パターンの変更によって省エネルギー化が図れない場合、制御パターン変更部が、一定期間の経過後に制御パターンを自動的に変更して省エネルギー化を図ることが望ましい。
【００４０】
ところで、暑いや寒いといった人の温冷感覚を外気温や屋内温度のみで判断することは困難である。すなわち、同じ温度を寒いと感じる季節もあれば、暑いと感じる季節もあり、季節を無視して単純に温度のみで人の温冷感覚を判断することには無理がある。
【００４１】
そこで、季節毎の制御パターンを記憶部１２に記憶しておくとともに制御装置１にタイマ（時計）を具備し、制御パターン決定部１３が、タイマでカウントする時刻から日付を特定し、この日付から季節（春夏秋冬）を判断して各季節毎の制御パターンを決定（選択）すれば、居住空間の環境をより快適な状態に制御することができる。
【００４２】
（実施形態２）
本実施形態のシステム構成図を図６に示す。本実施形態は、それぞれに異なる建物に設置されている複数（図６では１つのみを図示）の制御装置１との間でデータ通信を行うセンタ装置Ｓを備えている点に特徴がある。ただし、本実施形態の基本構成は実施形態１と共通であるから、共通の構成要素には同一の符号を付して説明を省略する。
【００４３】
本実施形態における制御装置１はデータ通信部１５と制御パターン取得部１６を具備している。このデータ通信部１５は、公衆回線や光ファイバーなどの通信媒体を介してインターネットに接続され、インターネット（図示せず）を通してセンタ装置Ｓとデータ通信を行うものである。また、制御パターン取得部１６は、建物の所在地が属する地域の情報をデータ通信部１５からセンタ装置Ｓへ送信するとともにセンタ装置Ｓから返信される制御パターンをデータ通信部１５で受信し、当該受信した制御パターンを記憶部１２に記憶させるものである。なお、建物の所在地が属する地域の情報は、施工者によって手動で制御装置１に入力されるか、あるいは制御装置１に具備されたＧＰＳ受信機で取得される。
【００４４】
一方、センタ装置Ｓは、制御装置１から地域情報を受け取ると、当該地域に適した１乃至複数種類の制御パターンを選択して当該制御装置１へ返信する。センタ装置Ｓが保有している制御パターンは、温暖な地域に適した制御パターンや寒冷な地域に適した制御パターンなどである。例えば、寒冷な地域に住む人は、温暖な地域に住む人に比べて寒さには慣れている反面、暑さには慣れていないので、図２における第２〜第４の境界線Ｌ２〜Ｌ４をｙ軸に近付く向き（外気温が下がる向き）に移動することが望ましい。
【００４５】
而して、センタ装置Ｓが制御装置１から受け取る地域情報に適した１乃至複数種類の制御パターンを選択して制御装置１へ返信し、制御装置１の制御パターン取得部１６がセンタ装置Ｓから受け取った制御パターンを記憶部１２に記憶しているので、それぞれの地域に適した制御パターンで制御することができて使い勝手が向上するという利点がある。
【符号の説明】
【００４６】
１  制御装置
２  屋外遮光装置（入射量調節装置）
３  屋内社交装置（入射量調節装置）
４  換気装置
７  温度センサ（温度検出装置）
８  温度センサ（温度検出装置）
１０  センサ情報取得部（温度情報取得部）
１１  制御信号送信部
１２  記憶部
１３  制御パターン決定部
Ｈ  住宅（建物）
Ｗ１  採光部
【図１】
2011202892.tif 000003
【図２】
2011202892.tif 000004
【図３】
2011202892.tif 000005
【図４】
2011202892.tif 000006
【図５】
2011202892.tif 000007
【図６】
2011202892.tif 000008